(57)【要約】【課題】  表示板の表示物を、昼夜問わず見えやすくした花輪を提供する。【解決手段】  脚体５０に支持される枠体１を備え、枠体１で囲繞される面を平面に形成して基準面２とし、枠体１の基準面２の前側に装飾花部材１１が付設される装飾面１２を有した飾り部１０を設け、飾り部１０に貫通窓１３を形成し、外部から常時視認可能な常時表示物Ｓａが表示された表示面２１を有した透光性の表示板２０を貫通窓１３に設け、表示板２０の裏側に点灯されて表示板２０に向けて光を照射する光源３０を設け、表示板２０を、枠体１に対して下側に偏らせ、表示板２０の表示面２１と枠体１の基準面２との傾斜角度θをθ＝５°〜５０°として、枠体１の基準面２に対して下向きに傾斜させた構成とした。【選択図】図４
2008163521.tif 000002
【特許請求の範囲】
【請求項１】
脚体に支持される枠体を備え、該枠体で囲繞される面を平面に形成して基準面とし、該枠体の基準面の前側に装飾花部材が付設される装飾面を有した飾り部を設け、上記飾り部に貫通窓を形成し、外部から常時視認可能な常時表示物が表示された表示面を有した透光性の表示板を上記貫通窓に設け、上記表示板の裏側に点灯されて該表示板に向けて光を照射する光源を設けた花輪において、
上記表示板の表示面を、上記枠体の基準面に対して下向きに傾斜させたことを特徴とする花輪。
【請求項２】
上記枠体の基準面と上記表示板の表示面との傾斜角度θを、θ＝５°〜５０°に設定したことを特徴とする請求項１記載の花輪。
【請求項３】
上記表示板を上記枠体に対して下側に偏らせて設けたことを特徴とする請求項１又は２記載の花輪。
【請求項４】
上記表示板の裏側に、上記光源の点灯時に上記表示板の表示面を通して映し出されて視認可能な特殊表示物が表示された透光性のシート部材を設けたことを特徴とする請求項１乃至３何れかに記載の花輪。
【請求項５】
上記表示板を、透明若しくは半透明の板本体と、該板本体に貼着され上記常時表示物が描かれるとともに、上記光源の非点灯時に上記シート部材の特殊表示物を視認しにくくし、上記光源の点灯時に視認し易くする非透明で透光性の表示フィルムとを備えて構成したことを特徴とする請求項４記載の花輪。
【請求項６】
上記シート部材を、特殊表示物が表示され上記表示フィルムに貼着されるフィルムで構成したことを特徴とする請求項５記載の花輪。
【請求項７】
上記枠体に上記光源を支持する背面板を設け、上記背面板と上記表示板との間に該光源から照射された光を通過させる通光路を構成する筒部材を設けたことを特徴とする請求項１乃至６何れかに記載の花輪。
【請求項８】
上記貫通窓に対応した内周枠と、該内周枠より大きく形成され上記枠体に取付けられる外周枠と、当該内周枠と該外周枠との間に架設される複数の架設棒とを備えて形成されたフレーム体を備え、該フレーム体の内周枠，外周枠及び架設棒の前面に上記飾り部を付設したことを特徴とする請求項１乃至７何れかに記載の花輪。
【請求項９】
上記フレーム体の外周枠を上記枠体より小さく形成し、該フレーム体の外周枠と上記枠体との間に装飾板を設けたことを特徴とする請求項８記載の花輪。
【請求項１０】
上記飾り部を、金網を用いて構成したことを特徴とする請求項１乃至９何れかに記載の花輪。
【請求項１１】
上記枠体に補強フレームを複数本架設し、該補強フレームに上記枠体の下端から突出しシート状の名札が吊下される吊下部材を設けたことを特徴とする請求項１乃至１０何れかに記載の花輪。
【請求項１２】
上記補強フレームに上記脚体を着脱可能に取付けるための脚体取付部を形成したことを特徴とする請求項１１記載の花輪。
【発明の詳細な説明】
【技術分野】
【０００１】
本発明は、慶弔の意を表すために飾られる花輪に係り、特に、夜間等に内側から点灯されるライトによって、文字や絵などの表示物を映し出す透光性の表示板を備えた花輪に関する。
【背景技術】
【０００２】
従来、この種の花輪としては、例えば、特許文献１（実開昭６２−１４１０２３号公報）に掲載されたものが知られている。これは、図１０及び図１１に示すように、脚体１０２に支持される枠体１００を備え、この枠体１００で囲繞される面を平面に形成して基準面１００ａとし、枠体１００の基準面１００ａの前側に装飾花部材１０３ａが付設される装飾面を有した飾り部１０３を設け、この飾り部１０３に貫通窓１０３ｂを形成し、文字や絵などの表示物が表示された表示面を有した透光性の表示板１０１を貫通窓１０３ｂに設け、表示板１０１の裏側に設けた光源１０７を点灯して表示板１０１に向けて光を照射するようにしている。表示物としては、例えば、文字，図形，記号，絵等、種々のものが描かれる。また、この花輪Ｈａは、飾り部１０３の周囲に環飾り１０４を備え、更に、脚体１０２に架設した横棒１０５から垂れ幕１０６等を吊下している。
【０００３】
【特許文献１】実開昭６２−１４１０２３号公報
【発明の開示】
【発明が解決しようとする課題】
【０００４】
ところで、この従来の花輪にあっては、図１０（Ｂ）に示すように、使用するときは、壁等に脚体１０２を立て掛けて設置するが、基準面１００ａが斜めになってしまい、また、表示板１０１が基準面１００ａに対して平行に取付けられているため、表示板１０１の表示面が上向きになってしまい、夜間等に光源１０７を点灯して見えやすくしているものの、表示板１０１の文字や図形等の表示物が見えにくくなるという問題があった。
【０００５】
本発明は、このような問題点に鑑みてなされたもので、表示板の表示物を、昼夜問わず見えやすくした花輪を提供することを目的とする。
【課題を解決するための手段】
【０００６】
このような目的を達成するため、本発明の花輪は、脚体に支持される枠体を備え、該枠体で囲繞される面を平面に形成して基準面とし、該枠体の基準面の前側に装飾花部材が付設される装飾面を有した飾り部を設け、上記飾り部に貫通窓を形成し、外部から常時視認可能な常時表示物が表示された表示面を有した透光性の表示板を上記貫通窓に設け、上記表示板の裏側に点灯されて該表示板に向けて光を照射する光源を設けた花輪において、上記表示板の表示面を、上記枠体の基準面に対して下向きに傾斜させた構成とした。
【０００７】
この花輪を設置するときは、脚体を用いて、脚体自体で支持したり、壁等に立て掛けたりする。この場合、枠体の基準面が斜めになっても、外部から常時視認可能な常時表示物が表示された表示面は枠体の基準面に対して傾斜して下向きになるので、人が見上げた際、表示物が人の目線の方向に向くようになり、見えやすくなる。
また、表示板の裏側に光源を設けたため、夜間には光源を点灯して表示板を照らすことができる。この場合、光が表示板の常時表示物を映し出すので、昼夜問わず表示板を見えやすくすることができる。
【０００８】
そして、必要に応じ、上記枠体の基準面と上記表示板の表示面との傾斜角度θを、θ＝５°〜５０°に設定した構成とした。これにより、基準面と表示板の傾斜角度θを適宜に変えられるようになるので、基準面の傾斜に合わせることが可能となる。
また、必要に応じ、上記表示板を上記枠体に対して下側に偏らせて設けた構成とした。これにより、人の目線との距離が近くなるので、更に見えやすくなる。
【０００９】
そして、必要に応じ、上記表示板の裏側に、上記光源の点灯時に上記表示板の表示面を通して映し出されて視認可能な特殊表示物が表示された透光性のシート部材を設けた構成とした。これにより、夜間は光源から光を照射して表示板を照らし、見えやすくするが、このとき、この光によって特殊表示物が表示板に浮かび上がって映し出され視認可能となるため、昼間とは異なる外観となり、一日中設置しておいても見飽きることがない。
【００１０】
また、必要に応じ、上記表示板を、透明若しくは半透明の板本体と、該板本体に貼着され上記常時表示物が描かれるとともに、上記光源の非点灯時に上記シート部材の特殊表示物を視認しにくくし、上記光源の点灯時に視認し易くする非透明で透光性の表示フィルムとを備えた構成とした。これにより、非透明で透光性の表示フィルムによって、昼間は特殊表示物が視認しにくくなるため、昼間は常時表示物のみがはっきりと見えるようになる。また、非透明で透光性の表示フィルムによって、夜間に光源が点灯した際に、特殊表示物を視認し易くするため、夜間は常時表示物と特殊表示物とが同時に見えるようになる。このことから、昼間と夜間とで異なる外観を得ることができる。
【００１１】
更に、必要に応じ、上記シート部材を、特殊表示物が表示され上記表示フィルムに貼着されるフィルムで構成した構成とした。これにより、シート部材と表示フィルムとが一体化され、表示板の製造が容易になるとともに、取り扱いが容易になる。
【００１２】
そして、必要に応じ、上記枠体に上記光源を支持する背面板を設け、上記背面板と上記表示板との間に該光源から照射された光を通過させる通光路を構成する筒部材を設けた構成とした。これにより、光源から照射された光は通光路を通るようになるので、確実に表示板を照らすようになる。また、光源と表示板との間に通光路の分だけ距離ができるようになるので、表示板を構成する素材としては、耐熱性を持っていなくても使用可能となり、ガラス板やアクリル板等適宜の素材を選択することができるようになる。
【００１３】
また、必要に応じ、上記貫通窓に対応した内周枠と、該内周枠より大きく形成され上記枠体に取付けられる外周枠と、当該内周枠と該外周枠との間に架設される複数の架設棒とを備えて形成されたフレーム体を備え、該フレーム体の内周枠，外周枠及び架設棒の前面に上記飾り部を付設した構成とした。これにより、飾り部をフレーム体に付設したので、枠体への取付けが容易になる。また、飾り部を構成する素材が軟性のものであっても、その形状を常に保つことが可能となる。
【００１４】
更に、必要に応じ、上記フレーム体の外周枠を上記枠体より小さく形成し、該フレーム体の外周枠と上記枠体との間に装飾板を設けた構成とした。これにより、より一層外観品質を向上させることができる。また、フレーム体の外周枠をどのような形状に形成しても、フレーム体の外周枠と枠体との間を、装飾板によって隠すことができ、景観を損なうことがなくなる。
【００１５】
そして、必要に応じ、上記飾り部を、金網を用いて構成した構成とした。これにより、金網は軟性の素材なので、膨出させる等、加工が容易になる。また、装飾花部材の取り付けも容易になる。
【００１６】
また、必要に応じ、上記枠体に補強フレームを複数本架設し、該補強フレームに上記枠体の下端から突出しシート状の名札が吊下される吊下部材を設けた構成とした。これにより、枠体をより強固に支持できるようになる。また、名札の吊下も容易になる。更に、脚体を設けないで花輪を壁に直付けする場合にも、名札を吊下することができるようになる。
【００１７】
更に、必要に応じ、上記補強フレームに上記脚体を着脱可能に取付けるための脚体取付部を形成した構成とした。これにより、持ち運ぶ際には、脚体を枠体から取外すことができるようになるため、持ち運びが容易になる。また、脚体を使用できないような場所にも設置することが可能となる。
【発明の効果】
【００１８】
本発明の花輪によれば、脚体に支持される枠体を備え、この枠体で囲繞される面を平面に形成して基準面とし、外部から常時視認可能な常時表示物が表示された表示面を有した表示板の表示面を、枠体の基準面に対して下向きに傾斜させたことにより、この花輪を、脚体を用いて脚体自体で支持したり、壁等に立て掛けたりして設置した場合、枠体の基準面が斜めになっても、外部から常時視認可能な常時表示物が表示された表示面は枠体の基準面に対して傾斜して下向きになるので、人が見上げた際、表示物が人の目線の方向に向くようになり、見えやすくなる。また、表示板の裏側に光源を設けたため、夜間には光源を点灯して表示板を照らすことができる。この場合、光が表示板の常時表示物を映し出すので、昼夜問わず表示板を見えやすくすることができる。
【００１９】
また、表示板の裏側に、光源の点灯時に表示板の表示面を通して映し出されて視認可能な特殊表示物が表示された透光性のシート部材を設けた場合は、夜間は光源から光を照射して表示板を照らし、見えやすくするが、このとき、この光によって特殊表示物が表示板に浮かび上がって写し出され視認可能となるため、昼間とは異なる外観となり、一日中設置しておいても見飽きることがない。
【発明を実施するための最良の形態】
【００２０】
以下、添付図面に基づいて本発明の実施の形態に係る花輪を説明する。
図１乃至図９に示す本発明の実施の形態に係る花輪Ｈは、脚体５０に支持される枠体１を備え、この枠体１で囲繞される面を平面に形成して基準面２とし、枠体１の基準面２の前側に造花１１ａからなる装飾花部材１１が付設される装飾面１２を有した飾り部１０を設け、この飾り部１０に貫通窓１３を形成し、この貫通窓１３に外部から常時視認可能な常時表示物Ｓａが表示された表示面２１を有した透光性の表示板２０を設け、この表示板２０の裏側に点灯されて表示板２０に向けて光を照射する光源３０を備えてなる。このような花輪Ｈの表示板２０の表示面２１を、枠体１の基準面２に対して下向きに傾斜させて構成している。
【００２１】
詳しくは、枠体１は、図３乃至図５に示すように、断面円状の例えば、塩ビ管を用いて、これを、例えば直径１８００ｍｍの正円に変形させて形成する。この枠体１には、棒状の金属部材からなる補強フレーム３及び補強フレーム３ａを複数本架設している。補強フレーム３は、枠体１に、縦にして二本架設される。このとき、二本の補強フレーム３を、枠体１の中心から左右対称になるようにし、かつ、後述の名札５の横幅と同じ長さになるように距離を置いて架設する。この二本の補強フレーム３は、枠体１の下端４から突出し、補強フレーム３と同じ材質の金属棒で構成したシート状の名札５が吊下される吊下部材６で接続されている。接続は、吊下部材６を横にして、二本の補強フレーム３と接触させ、この接点を金属製のビスで取付け固定する。
【００２２】
また、補強フレーム３ａは、枠体１に、縦にして二本架設される。このとき、二本の補強フレーム３ａを、吊下部材６で接続した補強フレーム３よりも枠体１の中心に近い方に架設し、枠体１の中心から左右対称になるようにする。このときの二本の補強フレーム３ａの距離は、適宜変更して差支えない。この二本の補強フレーム３ａを、補強フレーム３ａと同じ材質の金属棒からなる脚体５０を着脱可能に取付けるための脚体取付部７で接続する。接続は、脚体取付部７を横にして、二本の補強フレーム３ａと接触させ、この接点を金属製のビスで取付け固定する。
【００２３】
飾り部１０は、金網１４を用いて構成され、後述のフレーム体４０に付設されている。金網１４としては、網状，亀甲状等、様々な種類があるが、装飾花部材１１を取付けられる形状のものであれば、どのようなものを用いても良い。図３又は図４に示すように、金網１４は、その外周が枠体１の直径よりも小さい、例えば直径１５００ｍｍの正円に形成され、中央部側が膨出形成されて装飾面１２を構成している。このとき、後述のフレーム体４０の外周枠４２に取付けるため、所望分大きめに形成されている。更に、金網１４には、例えば直径１０００ｍｍの正円の貫通窓１３が形成されている。このとき、後述のフレーム体４０の内周枠４１に取付けるため、貫通窓１３の内径が所望分小さめに形成されている。また、この金網１４の装飾面１２には、装飾花部材１１が取付けられている。針金を蔓のようにして用い、多数の装飾花部材１１としての造花１１ａを、金網１４に取付ける。
【００２４】
表示板２０は、図６及び図７に示すように、透明若しくは半透明のアクリル板で構成した板本体２７を備え、この板本体２７に、常時表示物Ｓａが描かれた表示フィルム２４が貼着され、更に、この表示フィルム２４に特殊表示物Ｓｂが表示されたシート部材２５が貼着されている。
板本体２７は、耐候性、耐衝撃性に優れ、ガラス等の部材を使用した場合と比べて、軽く、強度が高い。このアクリル板からなる板本体２７は、飾り部１０の貫通窓１３に対応する、例えば直径１０００ｍｍの大きさの正円に形成されている。
【００２５】
表示フィルム２４は、光源３０の非点灯時には、シート部材２５の特殊表示物Ｓｂを視認しにくくし、光源３０の点灯時には、シート部材２５の特殊表示物Ｓｂを視認し易くする非透明で透光性のものである。詳しくは、表示フィルム２４は、白色で透光性のフィルムを用い、フィルムの下側の一部に、常時表示物Ｓａとして花の絵が描かれている。
また、シート部材２５は、表示フィルム２４に貼着される透明で透光性のフィルムを用い、フィルム全体に、特殊表示物Ｓｂとして仏像の絵が描かれている。このシート部材２５は、表示板２０の裏側に設けられ、光源３０の点灯時に表示板２０の表示面２１を通して映し出されて視認可能となる特殊表示物Ｓｂが表示されている。
このようなアクリル板２７，表示フィルム２４，シート部材２５は、図７に示すように、表示フィルム２４の裏面とシート部材２５の表面とを貼着し、貼着したフィルムを、アクリル板２７の裏側と表示フィルム２４の表面とを重ね合わせて貼着している。
【００２６】
このように形成された表示板２０は、その表示面２１を、枠体１の基準面２に対して下向きに傾斜させて、貫通窓１３に設けられ、後述のフレーム体４０を介して枠体１に取付けられている。詳しくは、表示板２０を、枠体１に対して下側に偏らせて位置させ、その下端部２２を支点とし、上端部２３を前方に傾ける。このとき、枠体１の基準面２と表示板２０の表示面２１との傾斜角度θを、θ＝５°〜５０°の範囲内に設定する。望ましくは、θ＝１０°〜３０°である。実施の形態では、１５°に設定している。図４に示すように、表示板２０は、貫通窓１３の前面から露出させられ、索体２６を用いて、金網１４及びフレーム体４０の内周枠４１に取付け固定されている。
【００２７】
光源３０は、図３乃至図５に示すように、背面板３１に設けられている。背面板３１は、表示板２０に対応させて円形に形成され、枠体１の補強フレーム３に、索体やビス等で固定されている。この光源３０は、電球３０ａで構成されている。背面板３１には、この背面板３１に設けた開口３３に対応した大きさの開口を有した箱型の電球収納部３２が設けられており、電球３０ａは、この電球収納部３２内に取付けられている。電球３０ａには、電源コード３４が接続されている。また、背面板３１と表示板２０との間には、光源３０から照射された光を通過させる通光路３５を構成する筒部材３６を設けられている。この筒部材３６は、布で構成され、その開口は、背面板３１とフレーム体４０の内周枠４１に対応する大きさに形成されている。筒部材３６の開口は、背面板３１とフレーム体４０の内周枠４１に重ね合わせられ、索体を用いて固定されている。
【００２８】
フレーム体４０は、、図３乃至図５に示すように、上記の飾り部１０と表示板２０を支持するもので、飾り部１０の貫通窓１３に対応した内周枠４１と、内周枠４１より大きく形成され枠体１に取付けられる外周枠４２と、内周枠４１と外周枠４２との間に架設され、内周枠４１を表示板２０の傾斜に対応させて、外周枠４２に対して支持する複数の架設棒４３とを備えて形成されている。詳しくは、断面円状の塩ビ管を用いて、これを、例えば直径１０００ｍｍの正円に形成した内周枠４１を、内周枠４１と同じ部材を用いて、例えば直径１５００ｍｍの正円に形成した外周枠４２の下側に位置させ、その下端部４６を支点として、上端部４７を前方に傾けている。このときの傾斜角度は、枠体１の基準面２に対する表示板２０の傾斜に合わせて、１５°に設定されている。このように形成した外周枠４２と内周枠４１とを架設棒４３で接続する。架設棒４３は、塩ビ管で形成され、その両端部が舌片状に切欠き形成されている。そして、架設棒４３の両端部を外周枠４２と内周枠４１とに接触させ、その上から金属製のビス９で取付け固定する。
【００２９】
図３に示すように、フレーム体４０の内周枠４１，外周枠４２及び架設棒４３の前面に飾り部１０を付設し、枠体１に取付ける。フレーム体４０の前面を金網１４で覆い、外周枠４２に巻き付けるようにして取付け、数箇所を索体を用いて固定する。同様に、内周枠４１に巻き付けるようにして取付け、数箇所を索体を用いて固定する。このようにして、フレーム体４０の外周枠４２と内周枠４１との間を覆うように付設する。
【００３０】
このフレーム体４０を、枠体１に取付ける。図３及び図４に示すように、枠体１とフレーム体４０の外周枠４２とが同心円になるように、フレーム体４０と補強フレーム３とを索体を用いて取付け固定する。フレーム体４０の外周枠４３は、枠体１より小さく形成されており、フレーム体４０の外周枠４２と枠体１との間に環状の装飾板４４が設けられている。この装飾板４４は、枠体１とフレーム体４０の外周枠４２に、索体を用いて取付け固定されている。
【００３１】
このように構成される本発明の実施の形態に係る花輪Ｈを使用するときは、以下のようになる。先ず、枠体１に、脚体５０を取付ける。図１又は図２に示すように、脚体５０は三本の脚部材５１を有した三脚で構成されている。この脚部材５１の頂部を脚体取付部７に係止させ、紐により補強フレーム３ａに結束して、バランス良く取付ける。このとき、二本の脚部材５１がハの字状になるように形成する。この二本の脚部材５１は、枠体１の基準面２と平行になるように取付ける。これにより、三本の脚部材５１が三角錐状になり花輪Ｈが安定して支持されるようになる。
【００３２】
次に、枠体１の吊下部材６に、名札５を吊下する。また、電球３０ａに接続されている図示外のスイッチ付の電源コード３４を電源に差込む。このように、設置された状態では、この花輪Ｈは、枠体１，飾り部１０，フレーム体４０を用いて形成されているので、屋外に設置した場合でも、雨風に強く、容易にその状態を崩すことがない。
尚、三脚が使用できない場合は、脚部材５１を二本にし、壁等に立て掛けるようにして設置しても良い。また、脚体５０を使用できないような場所においては、壁に直接取付けるようにしても良い。
【００３３】
この状態で、昼間の明るい環境においては、スイッチにより光源３０を切っておく。この場合、図８に示すように、表示板２０には、表示フィルム２４に描かれた常時表示物Ｓａである花の絵が見える。このとき、表示フィルム２４の裏面に貼着されているシート部材２５に描かれている特殊表示物Ｓｂは、表示フィルム２４によって、見えにくくなっている。また、図２に示すように、この花輪Ｈが、脚体５０を用いて脚体自体で支持され、あるいは、壁等に立て掛けたりして設置されると、枠体１の基準面２が斜めになるが、枠体１の基準面２に対して、表示板２０の表示面２１を下向きに傾斜させているため、外部から常時視認可能な常時表示物Ｓａが表示された表示面２１は枠体１の基準面２に対して傾斜して下向きになるので、人が見上げた際、表示物が人の目線の方向に向くようになり、見えやすくなる。
【００３４】
次第に夜になり、暗くなってくると、花輪Ｈは見えにくくなってくる。このときに、電球３０ａに明かりを灯して表示板２０を照らす。こうすることにより、図９に示すように、シート部材２５に黒色で描かれた特殊表示物Ｓｂである仏像の絵に光が照射され、白色の表示フィルム２４に特殊表示物Ｓｂが投影されて、表示板２０の表示面２１に浮かび上がってくるので、常時表示物Ｓａと特殊表示物Ｓｂとが共に見えるようになる。即ち、昼間と夜間とでは、異なる絵柄が表示板２０の表示面２１に映し出されるようになるので、一日中設置しておいても見飽きることがない。また、光源３０から照射された光は通光路３５を通るようになり、確実に表示板２０を照らすようになるため、表示板２０が明るくなって見えやすくなる。また、通光路３５を構成する布を、透光性の材質にした場合には、布から光をある程度発散させることができ、この場合には、造花１１ａや名札５も照射するようになるので、花輪Ｈ全体が明るく見えるようになる。
この夜間においても、図２に示すように、この花輪Ｈが、脚体５０を用いて設置され、枠体１の基準面２が斜めになるが、枠体１の基準面２に対して、表示板２０の表示面２１を下向きに傾斜させているため、外部から常時視認可能な常時表示物Ｓａ及び特殊表示物Ｓｂが表示された表示面２１は枠体１の基準面２に対して傾斜して下向きになるので、人が見上げた際、表示物が人の目線の方向に向くようになり、見えやすくなる。
【００３５】
尚、花輪Ｈを、設置する場所によって、三脚が使用できない場合は、脚部材５１を二本にし、壁等に立て掛けるようにして設置しても良い。また、持ち運ぶ際には、脚体５０を枠体１の脚体取付部７から取外すことができるため、持ち運びが容易になる。更に、脚体５０を使用できないような場所にも設置することが可能となる。
【００３６】
尚また、上記実施の形態において、表示フィルム２４に花の絵を描いて形成したが、必ずしもこれに限定されるものではなく、別の絵や図形，文字，記号等でも良く、花輪Ｈの用途に合わせて、適宜変更して差支えない。
また、上記実施の形態において、シート部材２５に仏像の絵を描いて形成したが、必ずしもこれに限定されるものではなく、別の絵や図形，文字，記号等でも良く、花輪Ｈの用途に合わせて、適宜変更して差支えない。
更に、上記実施の形態において、枠体１，飾り部１０，表示板２０，フレーム体４０を上記の大きさや形状に設定したが、必ずしもこれに限定されるものではなく、花輪Ｈの用途に合わせて、適宜変更して差支えない。例えば、飾り部１０を楕円形に形成したり、表示板２０を、楕円形や矩形あるいは六角形状等の多角形状に形成するなど、どのように形成しても良い。
【００３７】
更にまた、上記実施の形態において、装飾花部材１１を造花１１ａで構成したが、必ずしもこれに限定されるものではなく、生花等でも良く、適宜変更して差支えない。
また、上記実施の形態において、表示板２０の板本体２７をアクリル板で構成したが、必ずしもこれに限定されるものではなく、透光性の板部材であればどのようなものを用いても良く、適宜変更して差支えない。
更に、上記実施の形態において、飾り部１０を金網１４で構成したが、必ずしもこれに限定されるものではなく、紐等でも良く、適宜変更して差支えない。
【００３８】
また、上記実施の形態において、光源３０を電球３０ａで構成したが、必ずしもこれに限定されるものではなく、ＬＥＤ等でも良く、適宜変更して差支えない。
更に、上記実施の形態において、枠体１，補強フレーム３，フレーム体４０を上記の部材で構成したが、必ずしもこれに限定されるものではなく、金属や木材等でも良く、適宜変更して差支えない。
更にまた、上記実施の形態において、筒部材３６を布で構成したが、必ずしもこれに限定されるものではなく、どのような素材を用いても良く、適宜変更して差支えない。
【図面の簡単な説明】
【００３９】
【図１】本発明の実施の形態に係る花輪を脚体で支持した状態で示す正面図である。
【図２】本発明の実施の形態に係る花輪を脚体で支持した状態で示す側面図である。
【図３】本発明の実施の形態に係る花輪を示す分解斜視図である。
【図４】本発明の実施の形態に係る花輪を示す側面断面図である。
【図５】本発明の実施の形態に係る花輪を示す背面図である。
【図６】本発明の実施の形態に係る花輪の表示板の構成を示す分解斜視図である。
【図７】本発明の実施の形態に係る花輪の表示板を示す部分断面図である。
【図８】本発明の実施の形態に係る花輪の光源非点灯時の外観を示す正面図である。
【図９】本発明の実施の形態に係る花輪の光源点灯時の外観を示す正面図である。
【図１０】従来の花輪の一例を脚体で支持した状態で示す図であり、（Ａ）は正面図，（Ｂ）は側面図である。
【図１１】従来の花輪の要部図である。
【００４０】
Ｈ  花輪
１  枠体
２  基準面
３  補強フレーム
３ａ  補強フレーム
４  下端
５  名札
６  吊下部材
７  脚体取付部
９  ビス
１０  飾り部
１１  装飾花部材
１１ａ  造花
１２  装飾面
１３  貫通窓
１４  金網
２０  表示板
２１  表示面
２２  下端部
２３  上端部
２４  表示フィルム
２５  シート部材
２６  索体
２７  板本体
３０  光源
３０ａ  電球
３１  背面板
３２  電球収納部
３３  開口
３４  電球コード
３５  通光路
３６  筒部材
４０  フレーム体
４１  内周枠
４２  外周枠
４３  架設棒
４４  装飾板
４６  下端部
４７  上端部
５０  脚体
５１  脚部材
【図１】
2008163521.tif 000003
【図２】
2008163521.tif 000004
【図３】
2008163521.tif 000005
【図４】
2008163521.tif 000006
【図５】
2008163521.tif 000007
【図６】
2008163521.tif 000008
【図７】
2008163521.tif 000009
【図８】
2008163521.tif 000010
【図９】
2008163521.tif 000011
【図１０】
2008163521.tif 000012
【図１１】
2008163521.tif 000013